(57)【要約】【課題】過去の蓄積されたデータから、作物の育成に必要なデータを確実に抽出し得る、データ抽出装置、データ抽出方法、及びプログラムを提供する。【解決手段】データ抽出装置１００は、気象条件、作物の生育状態、及び作物の育成において行われた管理作業、それぞれの蓄積されたデータから、場所及び期間について指定された条件に基づいて、データを抽出する、第１のデータ抽出部１０と、この抽出されたデータから、作物の生育状態について指定された条件に基づいて、データを抽出する、第２のデータ抽出部２０と、第２のデータ抽出部によって抽出されたデータから、管理作業が作物に与えた影響を表すデータと、気象条件が前記作物に与えた影響を表すデータとを少なくとも抽出する、第３のデータ抽出部３０と、を備えている。【選択図】図１
2015000040.tif 000002
【特許請求の範囲】
【請求項１】
気象条件、作物の生育状態、及び作物の育成において行われた管理作業、それぞれの蓄積されたデータから、場所及び期間について指定された条件に基づいて、データを抽出する、第１のデータ抽出部と、
前記第１のデータ抽出部によって抽出されたデータから、前記作物の生育状態について指定された条件に基づいて、データを抽出する、第２のデータ抽出部と、
前記第２のデータ抽出部によって抽出されたデータから、前記管理作業が前記作物に与えた影響を表すデータと、前記気象条件が前記作物に与えた影響を表すデータとを少なくとも抽出する、第３のデータ抽出部と、
を備えていることを特徴とするデータ抽出装置。
【請求項２】
前記第３のデータ抽出部が、更に、前記作物の収穫時におけるデータを抽出する、請求項１に記載のデータ抽出装置。
【請求項３】
前記第２のデータ抽出部が、前記特定の作物の生育状態について指定された条件として、前記作物の生育状態を表す指標を受け付け、受け付けた前記指標に基づいて、データを抽出し、
前記第３のデータ抽出部が、
前記管理作業が前記作物に与えた影響を表すデータとして、指定された起点日以後に行われた前記管理作業と、前記起点日からの前記指標の値の時系列変化のデータとを抽出し、
前記気象条件が前記作物に与えた影響を表すデータとして、指定された前記期間に含まれる年別に、前記作物の生育場所の前記気象条件のデータと、前記指標の値の時系列変化のデータとを抽出する、
請求項１または２に記載のデータ抽出装置。
【請求項４】
前記第３のデータ抽出部によって抽出された前記データそれぞれを画面上で分類して表示させるための、画像データを生成する、データ分類部を更に備えている、
請求項１〜３のいずれかに記載のデータ抽出装置。
【請求項５】
前記第２のデータ抽出部によって抽出されたデータ、及び前記第３のデータ抽出部によって抽出されたデータを、画面上でグラフ化して表示させるための、画像データを生成する、グラフ化処理部を更に備えている、請求項１〜４のいずれかに記載のデータ抽出装置。
【請求項６】
前記第３のデータ抽出部によって抽出された前記データを用いて、前記作物の生育モデルを作成する、生育モデル作成部を更に備えている、請求項１〜５のいずれかに記載のデータ抽出装置。
【請求項７】
（ａ）気象条件、作物の生育状態、及び作物の育成において行われた管理作業、それぞれの蓄積されたデータから、場所及び期間について指定された条件に基づいて、データを抽出する、ステップと、
（ｂ）前記（ａ）のステップによって抽出されたデータから、前記作物の生育状態について指定された条件に基づいて、データを抽出する、ステップと、
（ｃ）前記（ｂ）のステップによって抽出されたデータから、前記管理作業が前記作物に与えた影響を表すデータと、前記気象条件が前記作物に与えた影響を表すデータとを少なくとも抽出する、ステップと、
を有することを特徴とするデータ抽出方法。
【請求項８】
コンピュータに、
（ａ）気象条件、作物の生育状態、及び作物の育成において行われた管理作業、それぞれの蓄積されたデータから、場所及び期間について指定された条件に基づいて、データを抽出する、ステップと、
（ｂ）前記（ａ）のステップによって抽出されたデータから、前記作物の生育状態について指定された条件に基づいて、データを抽出する、ステップと、
（ｃ）前記（ｂ）のステップによって抽出されたデータから、前記管理作業が前記作物に与えた影響を表すデータと、前記気象条件が前記作物に与えた影響を表すデータとを少なくとも抽出する、ステップと、
を実行させるプログラム。
【発明の詳細な説明】
【技術分野】
【０００１】
本発明は、農業分野における過去のデータから生産者が必要とするデータを抽出するための、データ抽出装置、データ抽出方法、及びこれらを実現するためのプログラムに関する。
【背景技術】
【０００２】
一般に、農業分野において、生産者は、作物を育成するにあたって、自身の経験、農業協同組合（ＪＡ：Japan Agriculture）等の組織から提供される栽培に関する指針を参考にして、明示的または暗黙的に目標となる生育モデルを設定する。そして、生産者は、生育モデルに従って作物の育成を実行する。例えば、特許文献１は、このような生育モデルを利用して、農業生産者を支援するシステムを提案している。
【０００３】
また、一般に、生育モデルでは、作物の収穫時の品質、収量、収穫時期等について一定の目標値が定められ、施肥、水遣りなどの農作業を通じた、収穫に至る生育の過程で作物の状態を制御する手順が定められている。そして、施肥、水遣り、これらに対応して行なう植物状態のチェックなどの作業には、一定の作業コストがかかることから、優良な作物を得ることができ、且つ、実現可能な生育モデルが最良の生育モデルとなる。
【０００４】
また、近年においては、施設内で植物の育成を行なう植物工場が開発されている（例えば、非特許文献１参照）。このような植物工場では、生育条件が安定しており、様々な生育条件を人工的に与えることができる。このため、植物工場では、取得した大量のデータから、最適な生育モデルが作成され、作成された生育モデルが積極的に利用されている。
【０００５】
但し、屋外で行なわれる露地栽培では、植物の生育過程における気温、降水量、日射量などが、場所、年等によって異なっている。このため、現在利用されている生育モデルは、それらを一般化したおおよその目安にしかならず、使用するデータによっては生育モデルの誤差が大きくなってしまうのが現状である。このため、非特許文献２及び３では、既存の生育モデルの別の環境への適用が検討されている。
【０００６】
また、例えば、特許文献２は、生産者が、農作業において、予め作成された農作業ルールを採用すべきかどうかを、過去の採否履歴に基づいて判断するシステムを提案している。特許文献２に開示されたシステムによれば、生育モデルを事例に応じて最適化できる可能性がある。
【先行技術文献】
【特許文献】
【０００７】
【特許文献１】特開平１１−２９９３５１号公報
【特許文献２】特開２０１２−１５５４３２号公報
【非特許文献】
【０００８】
【非特許文献１】高辻正基、森康裕著「ＬＥＤ植物工場」日刊工業新聞社、２０１１年１月、ｐ．２−６
【非特許文献２】1371445798015_0著「環境情報と作物生育情報のモデル化と応用：土壌−作物系，包括的シミュレーションモデル」北陸作物学会報３７、２００２年３月３１日、ｐ．１０７−１１２
【非特許文献３】森本哲夫著「温州ミカンの品質を予測するニューラルネットワークモデル」植物環境工学１７（２）：９０−９８、２００５年、ｐ．３２−４０
【発明の概要】
【発明が解決しようとする課題】
【０００９】
しかしながら、非特許文献２及び３では、既存の生育モデルの別の環境への適用が検討されているに過ぎず、この検討結果だけでは、生育モデルの最適化は困難である。このため、非特許文献２及び３を用いても、生産者は、現在の環境での作物の育成に必要なデータを得ることは不可能である。
【００１０】
また、特許文献２に開示されたシステムでは、農作業ルールの採否履歴のうち、環境、作物の状態、既に実行された作業の内容といった種々の条件が全て一致する採否履歴を、生産者が求めるデータとして抽出する。このため、特許文献２に開示されたシステムでは、環境によっては、生産者が求めるデータを抽出できない場合がある。
【００１１】
本発明の目的の一例は、上記問題を解消し、過去の蓄積されたデータから、作物の育成に必要なデータを確実に抽出し得る、データ抽出装置、データ抽出方法、及びプログラムを提供することにある。
【課題を解決するための手段】
【００１２】
上記目的を達成するため、本発明の一側面におけるデータ抽出装置は、気象条件、作物の生育状態、及び作物の育成において行われた管理作業、それぞれの蓄積されたデータから、場所及び期間について指定された条件に基づいて、データを抽出する、第１のデータ抽出部と、
前記第１のデータ抽出部によって抽出されたデータから、前記作物の生育状態について指定された条件に基づいて、データを抽出する、第２のデータ抽出部と、
前記第２のデータ抽出部によって抽出されたデータから、前記管理作業が前記作物に与えた影響を表すデータと、前記気象条件が前記作物に与えた影響を表すデータとを少なくとも抽出する、第３のデータ抽出部と、
を備えていることを特徴とする。
【００１３】
また、上記目的を達成するため、本発明の一側面におけるデータ抽出方法は、
（ａ）気象条件、作物の生育状態、及び作物の育成において行われた管理作業、それぞれの蓄積されたデータから、場所及び期間について指定された条件に基づいて、データを抽出する、ステップと、
（ｂ）前記（ａ）のステップによって抽出されたデータから、前記作物の生育状態について指定された条件に基づいて、データを抽出する、ステップと、
（ｃ）前記（ｂ）のステップによって抽出されたデータから、前記管理作業が前記作物に与えた影響を表すデータと、前記気象条件が前記作物に与えた影響を表すデータとを少なくとも抽出する、ステップと、
を有することを特徴とする。
【００１４】
更に、上記目的を達成するため、本発明の一側面におけるプログラムは、コンピュータに、
（ａ）気象条件、作物の生育状態、及び作物の育成において行われた管理作業、それぞれの蓄積されたデータから、場所及び期間について指定された条件に基づいて、データを抽出する、ステップと、
（ｂ）前記（ａ）のステップによって抽出されたデータから、前記作物の生育状態について指定された条件に基づいて、データを抽出する、ステップと、
（ｃ）前記（ｂ）のステップによって抽出されたデータから、前記管理作業が前記作物に与えた影響を表すデータと、前記気象条件が前記作物に与えた影響を表すデータとを少なくとも抽出する、ステップと、
を実行させることを特徴とする。
【発明の効果】
【００１５】
以上のように本発明によれば、過去の蓄積されたデータから、作物の育成に必要なデータを確実に抽出することができる。
【図面の簡単な説明】
【００１６】
【図１】図１は、本発明の実施の形態におけるデータ抽出装置の構成を概略的に示すブロック図である。
【図２】図２は、図１に示したデータ抽出装置の構成をより具体的に示すブロック図である。
【図３】図３は、本発明の実施の形態においてデータベースに蓄積されている気象条件のデータの一例を示す図である。
【図４】図４は、本発明の実施の形態においてデータベースに蓄積されている作物の生育状態のデータの一例を示す図である。
【図５】図５は、本発明の実施の形態においてデータベースに蓄積されている管理作業のデータの一例を示す図である。
【図６】図６は、本発明の実施の形態における管理作業影響データの具体例を示す図である。
【図７】図７は、本発明の実施の形態における気象条件影響データの具体例を示す図である。
【図８】図８は、本発明の実施の形態において、画面上で分類して表示された、管理作業影響データ、気象条件影響データ、及び作物の収穫時におけるデータの一例を示す図である。
【図９】図９は、本発明の実施の形態において、画面上で分類して表示された、管理作業影響データ、気象条件影響データ、及び作物の収穫時におけるデータの一例を示す図である。
【図１０】図１０は、本発明の実施の形態において画面上に表示された、第２のデータ抽出部によって抽出されたデータの一例を示す図である。
【図１１】図１１は、本発明の実施の形態において画面上に表示された、第２のデータ抽出部によって抽出されたデータの一例を示す図である。
【図１２】図１２は、本発明の実施の形態において画面上に表示された、第２のデータ抽出部によって抽出されたデータの一例を示す図である。
【図１３】図１３（ａ）及び（ｂ）は、本発明の実施の形態において生育モデルを生成する過程を説明するための図であり、図１３（ａ）は管理作業影響データの一例を示し、図１３（ｂ）は図１３（ａ）に示す管理作業影響データを用いて作成された生育モデルの一例を示す。
【図１４】図１４は、本発明の実施の形態におけるデータ抽出装置の動作全体を示すフロー図である。
【図１５】図１５は、図１４に示した第１抽出データの抽出処理を更に具体的に示すフロー図である。
【図１６】図１６は、図１４に示した第２抽出データの抽出処理を更に具体的に示すフロー図である。
【図１７】図１７は、図１４に示した管理作業影響データの抽出処理を更に具体的に示すフロー図である。
【図１８】図１８は、図１４に示した気象条件影響データの抽出処理を更に具体的に示すフロー図である。
【図１９】図１９は、図１４に示した実績データの抽出処理を更に具体的に示すフロー図である。
【図２０】図２０は、本発明の実施の形態におけるデータ抽出装置の他の例の構成を示すブロック図である。
【図２１】図２１は、本発明の実施の形態におけるデータ抽出装置を実現するコンピュータの一例を示すブロック図である。
【発明を実施するための形態】
【００１７】
（実施の形態）
以下、本発明の実施の形態における、データ抽出装置、データ抽出方法、及びプログラムについて、図１〜図２１を参照しながら説明する。なお、各図において、同一または同等の部分には同一の符号を付与するものとする。
【００１８】
［装置構成］
最初に、本実施の形態におけるデータ抽出装置の構成について図１を用いて説明する。図１は、本発明の実施の形態におけるデータ抽出装置の構成を概略的に示すブロック図である。
【００１９】
図１に示すように、本実施の形態におけるデータ抽出装置１００は、第１のデータ抽出部１０と、第２のデータ抽出部２０と、第３のデータ抽出部３０とを備えている。また、図１に示されたデータベース１１０には、気象条件、作物の生育状態、及び作物の育成において行われた管理作業、それぞれの過去のデータが蓄積されている。
【００２０】
そして、データ抽出装置１００において、第１のデータ抽出部１０は、データベース１１０に蓄積されているデータから、場所及び期間について指定された条件に基づいて、データを抽出する。また、第２のデータ抽出部２０は、第１のデータ抽出部１０によって抽出されたデータ（以下「第１抽出データ」と表記する。）から、作物の生育状態について指定された条件に基づいて、データを抽出する。
【００２１】
更に、第３のデータ抽出部３０は、第２のデータ抽出部２０によって抽出されたデータ（以下「第２抽出データ」と表記する。）から、管理作業が作物に与えた影響を表すデータ（以下「管理作業影響データ」と表記する。）と、気象条件が作物に与えた影響を表すデータ（以下「気象条件影響データ」と表記する。）とを少なくとも抽出する。
【００２２】
このように、データ抽出装置１００では、過去のデータは、まず、場所及び期間について絞り込まれ、更に、作物の生育状態について絞り込まれる。そして、このようにして絞り込まれたデータから、管理作業影響データと、気象条件影響データとが抽出される。
【００２３】
このため、ユーザである生産者は、データ抽出装置１００を用いることで、作物の育成において、ある管理作業を行った場合に作物の生育状態に与えられる影響と、気象条件によって作物の生育状態に与えられる影響とを知ることができる。結果、データ抽出装置１００によれば、過去の蓄積データから、作物の育成に必要なデータを確実に抽出することができる。
【００２４】
続いて、図２を用いて、本実施の形態におけるデータ抽出装置１００の構成を更に具体的に説明する。図２は、図１に示したデータ抽出装置の構成をより具体的に示すブロック図である。
【００２５】
図２に示すように、本実施の形態におけるデータ抽出装置１００は、コンピュータ２００のオペレーティングシステム（ＯＳ：Operating System）上にプログラムによって構築されている。データ抽出装置１００を構築するプログラムについては後述する。
【００２６】
コンピュータ２００は、記憶装置３００と、入力装置４００と、表示装置５００とを備えている。このうち、記憶装置３００は、ハードディスク、フラッシュメモリ等である。入力装置４００は、キーボード、マウス、タッチパネルといった入力機器である。データ抽出装置１００のユーザは、入力装置４００を用いて、データ抽出に利用する条件を入力することができる。表示装置５００は、液晶表示装置等であり、抽出されたデータの表示に用いられる。
【００２７】
また、本実施の形態では、過去のデータを蓄積するデータベース１１０は、記憶装置３００の記憶領域に構築されている。つまり、記憶装置３００は、上述した、気象条件、作物の生育状態、及び作物の育成において行われた管理作業、それぞれの過去のデータを格納している。
【００２８】
具体的には、気象条件のデータ（以下「気象条件データ」と表記する。）としては、１時間毎、１分毎、一日毎といった設定された期間毎の、天気、気温、湿度、降水量、日照時間、日射量、風向、風速、気圧、積雪量、土壌水分量等が挙げられる。また、これらのデータは、例えば、気象衛星、気象観測機器等によって計測され、気象庁、民間の気象サービス会社から提供される。図３は、本発明の実施の形態においてデータベースに蓄積されている気象条件のデータの一例を示す図である。
【００２９】
作物の生育状態のデータ（以下「生育状態データ」と表記する。）としては、作物のサイズ（茎の高さ、果実の直径等）、糖度、酸度といった生育状態を表す指標の計測データが挙げられる。また、作物の生育状態のデータとしては、予め設定された評価基準に基づいて判断された段階的な評価値（三段階評価、五段階評価等）も挙げられる。なお、作物の生育状態のデータが蓄積される期間は、その作物の種類によって決定される。例えば、作物が果樹になる果実である場合ならば１年、作物が２毛作によって生育される場合ならば０．５年に設定される。図４は、本発明の実施の形態においてデータベースに蓄積されている作物の生育状態のデータの一例を示す図である。
【００３０】
管理作業は、即ち、作物の育成において生産者が実行した農作業（世話）であり、例えば、畝の作成、施肥（肥料の散布等）、防除（農薬の散布等）、灌水、間引き、剪定、芽摘み、摘果、計測、収穫等である。従って、管理作業のデータ（以下「管理作業データ」と表記する。）としては、実行された管理作業毎の、実行日時、作業時間、対象作物、場所等が挙げられる。図５は、本発明の実施の形態においてデータベースに蓄積されている管理作業のデータの一例を示す図である。
【００３１】
また、第１のデータ抽出部１０は、本実施の形態では、ユーザである生産者が、入力装置４００を介して、場所及び期間について条件を入力すると、データベース１１０から、入力された条件に合致するデータを抽出する。
【００３２】
具体的には、例えば、ユーザが、圃場の名称といった場所についての条件と、○○年○月〜△△年△月といった期間についての条件とを、入力装置４００に入力したとする。この場合、第１のデータ抽出部１０は、気象条件のデータ（図３）、作物の生育状態のデータ（図４）、管理作業のデータ（図５）のうち、圃場及び日時のデータが、入力された圃場及び期間と重なるレコードを、第１抽出データとして抽出する。
【００３３】
第２のデータ抽出部２０は、本実施の形態では、ユーザが、入力装置４００を介して、作物の生育状態についての条件を入力すると、第１抽出データから、入力された条件に合致するデータを抽出する。また、作物の生育状態について指定された条件としては、例えば、作物のサイズ（茎の高さ、果実の直径等）、糖度、酸度といった生育状態を表す指標が挙げられる。
【００３４】
具体的には、例えば、ユーザが、作物を指定し、その生育状態を表す指標として「糖度」を入力したとする。この場合、第２のデータ抽出部２０は、まず、第１抽出データに含まれる生育状態データの中から、指定された作物の糖度が記録されたレコード（図４参照）を抽出する。更に、第２のデータ抽出部２０は、第１抽出データに含まれる気象条件データ及び管理作業データの中から、指定された作物についてのレコード（図３及び図５参照）も抽出する。このようにして抽出されたレコードが、第２抽出データとなる。
【００３５】
第３のデータ抽出部３０は、本実施の形態では、図２に示すように、管理作業影響データ抽出部３１と、気象条件影響データ抽出部３２と、実績データ抽出部３３とを備えている。
【００３６】
このうち、管理作業影響データ抽出部３１は、管理作業影響データとして、第２抽出データから、ユーザが指定した起点日以後に行われた管理作業データと、ユーザが指定した指標の値の起点日からの時系列変化のデータとを抽出する。
【００３７】
気象条件影響データ抽出部３２は、気象条件影響データとして、第２抽出データから、ユーザが指定した期間に含まれる年別に、ユーザが指定した作物の生育場所の気象条件データと、ユーザが指定した指標の値の時系列変化のデータとを抽出する。
【００３８】
実績データ抽出部３３は、第２抽出データから、作物の収穫時におけるデータ、例えば、収穫時点における、作物のサイズ、糖度、酸度等を、実績データとして抽出する。
【００３９】
ここで、管理作業影響データ及び気象条件影響データの具体例について図６及び図７を用いて説明する。図６は、本発明の実施の形態における管理作業影響データの具体例を示す図である。図７は、本発明の実施の形態における気象条件影響データの具体例を示す図である。
【００４０】
まず、図６の例では、ユーザは、場所として果樹園Ａ、期間として２０１１年及び２０１２年、作物としてミカン、作物の生育状態として糖度を指定しているとする。そして、ユーザが、起点日として、各年における果実ができた日を指定し、更にデータの抽出間隔として「５日」を指定したとする。なお、起点日としては、その他、開花日も挙げられる。また、抽出間隔は上記の例に限定されず、作物の種類に応じて適宜指定される。
【００４１】
この場合、図６に示すように、管理作業影響データ抽出部３１は、２０１１年及び２０１２年それぞれについて、起点日から収穫日までのミカンの糖度を、指定された抽出間隔で抽出する。また、管理作業影響データ抽出部３１は、２０１１年及び２０１２年それぞれについて、起点日から収穫日までに実行された管理作業（履歴）も抽出する。
【００４２】
そして、図６の例では、ミカンの糖度は、摘果が実施された２０１２年の方が高いことから、ユーザは、２０１２年で積極的に実行された「摘果」がミカンの糖度向上に有効であることを知ることができる。
【００４３】
また、管理作業影響データ抽出部３１は、抽出した指標を値が大きい順にソートし、上位からｎ個の値と、対応する管理作業データとを抽出することもできる。図６の例では、管理作業影響データ抽出部３１は、２０１２年についてのミカンの糖度の値を、上位からｎ個（ｎは任意の自然数、例えば１０個）抽出すると共に、対応する管理作業の履歴も抽出する。このようにして抽出されたデータは、後述する生育モデル作成部６０における生育モデルの生成に用いられる。
【００４４】
続いて、図７の例でも、ユーザは、場所として果樹園Ａ、期間として２０１１年及び２０１２年、作物としてミカン、作物の生育状態として糖度を指定しているとする。この場合、図７に示すように、気象条件影響データ抽出部３２は、２０１１年及び２０１２年のそれぞれについて、設定されている基準日（例えば７月１日）から収穫日（例えば９月３０日）まで、ミカンの糖度を、設定されている抽出間隔で抽出する。また、気象条件影響データ抽出部３２は、２０１１年及び２０１２年それぞれについて、設定されている基準日から収穫日まで、ミカンの果樹園Ａの気象条件データも、設定されている抽出間隔で抽出する。
【００４５】
そして、図７の例では、ミカンの糖度は、時間の経過と共に、２０１２年の方が高くなることから、ユーザは、２０１２年の気候の方がミカンには適していることを知ることができる。なお、図７においては、気象条件のデータとして、具体的な数値の代わりに、数値から読み取れる特徴が記述されている。また、本実施の形態では、気象条件影響データの抽出の際に用いられる「基準日」及び「抽出間隔」は、作物の種類毎に予め設定されている。
【００４６】
また、気象条件影響データ抽出部３２も、管理作業影響データ抽出部３１と同様に、抽出した指標を値が大きい順にソートし、上位からｎ個の値と、対応する気象条件データとを抽出することもできる。図７の例では、気象条件影響データ抽出部３２は、２０１２年の８月１０日以降のミカンの糖度の値と、２０１１年の８月１０日以前のミカンの糖度の値とのうち、上位からｎ個（例えば１０個）の値を抽出する。また、気象条件影響データ抽出部３２は、２０１２年の８月１０日以降の対応する気象条件データと、２０１１年の８月１０日以前の対応する気象条件データも抽出する。このようにして抽出されたデータは、後述する生育モデル作成部６０における生育モデルの生成に用いられる。
【００４７】
また、図２に示すように、データ抽出装置１００は、第１のデータ抽出部１０、第２のデータ抽出部２０、及び第３のデータ抽出部３０に加えて、更に、データ分類部４０と、グラフ化処理部５０と、生育モデル育成部６０とを備えている。
【００４８】
データ分類部４０は、第３のデータ抽出部３０によって抽出された、管理作業影響データ、気象条件影響データ、及び作物の収穫時におけるデータ、それぞれを画面上で分類して表示させるための、画像データを生成する。また、データ分類部４０は、生成した画像データを表示装置５００（図２参照）に出力する。図８及び図９は、それぞれ、本発明の実施の形態において、画面上で分類して表示された、管理作業影響データ、気象条件影響データ、及び作物の収穫時におけるデータの一例を示す図である。
【００４９】
図８の例では、データ分類部４０は、、管理作業影響データ、気象条件影響データ及び実績データを、表示装置５００（図２参照）の画面５０１上に並列に表示させる、画像データを生成する。また、図９の例では、データ分類部４０は、管理作業影響データ、気象条件影響データ及び実績データを、表示装置５００（図２参照）の画面５０１上に、タブによる切替によって別々に表示させる、画像データを生成する。このように、データ分類部４０が備えられていると、ユーザにおいては、管理作業影響データ、気象条件影響データ、及び実績データの把握が容易になる。
【００５０】
また、グラフ化処理部５０は、第３のデータ抽出部３０によって抽出されたデータを、画面上でグラフ化して表示するための、画像データを生成する。具体的には、グラフ化処理部５０は、図６に示した管理作業影響データ、図７に示した気象条件影響データ、更には図８に示した実績データを、表示装置５００の画面上に表示するための画像データを生成する。また、グラフ化処理部５０は、生成した画像データを表示装置５００に出力する。
【００５１】
また、グラフ化処理部５０は、第２のデータ抽出部２０によって抽出されたデータを、画面上でグラフ化して表示するための、画像データも生成する。具体的には、グラフ化処理部５０は、例えば、ユーザが指定した作物の糖度等の指標の時系列変化を表示するための画像データを生成する。また、この場合も、グラフ化処理部５０は、生成した画像データを表示装置５００に出力する。
【００５２】
図１０〜図１２は、それぞれ、本発明の実施の形態において画面上に表示された、第２のデータ抽出部によって抽出されたデータの一例を示す図である。図１０の例では、グラフ化処理部５０は、ユーザが指定した作物の糖度の時系列変化が、縦軸を糖度、横軸を時間とするグラフ上に表示されるように、画像データを生成している。
【００５３】
また、図１１の例では、ユーザが糖度と酸度との２つの指標を指定しているため、グラフ化処理部５０は、縦軸を糖度、横軸を酸度とする散布図が、画面５０１上に表示されるように、画像データを生成する。また、この場合、グラフ化処理部５０は、画面５０１上でユーザがスライダ５０２をスライドバー５０３に沿って移動させると、対応する日の散布図が表示されるように、日毎に画像データを生成する。
【００５４】
更に、図１２の例では、ユーザが、糖度、酸度、直径、傷の少なさ、色といった５つの指標を指定しているため、グラフ化処理部５０は、レーダーチャートが、画面５０１上に表示される画像データを生成する。また、この場合も、グラフ化処理部５０は、画面５０１上でユーザがスライダ５０２をスライドバー５０３に沿って移動させると、対応する日のレーダーチャートが表示されるように、日毎に画像データを生成する。
【００５５】
このように、グラフ化処理部５０が備えられていると、ユーザは、管理作業影響データ、気象条件影響データ、及び実績データに加え、各指標についての時系列変化も、簡単に把握することができる。この結果、ユーザは、各年の作物のできが良かったかどうかを簡単に判断できる。
【００５６】
また、生育モデル作成部６０は、第３のデータ抽出部３０によって抽出された、管理作業影響データ、気象条件影響データ、及び作物の収穫時におけるデータを用いて、作物の生育モデルを作成する。
【００５７】
ここで、図１３（ａ）及び（ｂ）を用いて、本実施の形態における生育モデルの生成処理について説明する。図１３（ａ）及び（ｂ）は、本発明の実施の形態において生育モデルを生成する過程を説明するための図であり、図１３（ａ）は管理作業影響データの一例を示し、図１３（ｂ）は図１３（ａ）に示す管理作業影響データを用いて作成された生育モデルの一例を示す。
【００５８】
例えば、第３のデータ抽出部３０によって、図１３に（ａ）に示す管理作業影響データが取得されているとする。そして、この管理作業影響データでは、Ｘ日を境に、２０１２年においては糖度の伸び率が低下しているが、２０１１年においては糖度の伸び率が上昇している。従って、この作物においては、図１３（ｂ）に示すように、Ｘ日までは２０１２年のように糖度が上昇し、Ｘ日以後では２０１１年のように糖度が上昇することが理想である。
【００５９】
このため、図１３（ａ）及び（ｂ）の例では、生育モデル作成部６０は、データベース１１０から、２０１２年におけるＸ日までの管理作業データと、２０１１年におけるＸ日以後の管理作業データとを抽出する。そして、生育モデル作成部６０は、抽出した各管理作業データを合成し、得られた合成データを生育モデルとする。
【００６０】
また、生育モデル作成部６０は、更に、管理作業影響データ抽出部３１が抽出した上位ｎ個の値及び対応する管理作業データと、気象条件影響データ抽出部３２が抽出した上位ｎ個の値及び対応する気象条件データとを用いて、生育モデルを生成することもできる。
【００６１】
［装置動作］
次に、本発明の実施の形態におけるデータ抽出装置の動作について図１４〜図１９を用いて説明する。また、本実施の形態では、データ抽出装置１００を動作させることによって、データ抽出法が実施される。よって、本実施の形態におけるデータ抽出方法の説明は、以下のデータ抽出装置１００の動作説明に代える。
【００６２】
＜全体＞
最初に、図１４を用いて、本実施の形態におけるデータ抽出装置１００の動作全体について説明する。図１４は、本発明の実施の形態におけるデータ抽出装置の動作全体を示すフロー図である。
【００６３】
図１４に示すように、データ抽出装置１００においては、まず、第１のデータ抽出部１０によって、データベース１１０を対象として、第１抽出データの抽出が実行される（ステップＳ１）。次に、ステップＳ１が実行されると、第２のデータ抽出部２０によって、第１抽出データを対象として、第２抽出データの抽出が実行される（ステップＳ２）。
【００６４】
次に、ステップＳ２が実行されると、第３のデータ抽出部３０によって、ステップＳ３、Ｓ４、及びＳ５が平行して実行される。具体的には、管理作業データ抽出部３１によって、第２抽出データを対象として、管理作業影響データの抽出が行われる（ステップＳ３）。また、気象条件影響データ抽出部３２によって、第２抽出データを対象として、気象条件影響データの抽出が行われる（ステップＳ４）。更に、実績データ抽出部３３によって、第２抽出データを対象として、実績データの抽出が行われる（ステップＳ５）。
【００６５】
次に、ステップＳ３、Ｓ４及びＳ５が実行されると、これらのステップで抽出されたデータが、データ分類部４０、及びグラフ化処理部５０によって、表示装置５００の画面上に表示される（ステップＳ６）。
【００６６】
その後、生育モデル作成部６０は、ステップＳ３〜Ｓ５で抽出された各データを用いて、生育モデルを生成する（ステップＳ７）。生成された生育モデルは、生産者であるユーザによって、その後の作物の育成に利用される。
【００６７】
＜第１抽出データの抽出処理＞
次に、図１５を用いて、図１４に示した第１抽出データの抽出処理について説明する。図１５は、図１４に示した第１抽出データの抽出処理を更に具体的に示すフロー図である。
【００６８】
図１５に示すように、最初に、第１のデータ抽出部１０は、入力装置４００を介して、ユーザからの場所についての条件の入力を受け付ける（ステップＳ１１）。次に、第１のデータ抽出部１０は、ステップＳ１１において、場所についての条件が入力されているかどうかを判定する（ステップＳ１２）。
【００６９】
ステップＳ１２の判定の結果、場所についての条件が入力されていない場合は、第１のデータ抽出部１０は、再度ステップＳ１１を実行する。一方、ステップＳ１２の判定の結果、場所についての条件が入力されている場合は、第１のデータ抽出部１０は、入力された条件において複数の場所（圃場）が指定されているかどうかを判定する（ステップＳ１３）。
【００７０】
ステップＳ１３の判定の結果、複数の場所が指定されていない場合は、第１のデータ抽出部１０は、対象となる期間を過去の全ての期間に設定し（ステップＳ１７）、その後、ステップＳ１８を実行する。
【００７１】
一方、ステップＳ１３の判定の結果、複数の場所が指定されている場合は、第１のデータ抽出部１０は、入力装置４００を介して、ユーザからの期間についての条件の入力を受け付ける（ステップＳ１４）。次に、第１のデータ抽出部１０は、ステップＳ１４において、期間についての条件が入力されているかどうかを判定する（ステップＳ１５）。
【００７２】
ステップＳ１５の判定の結果、期間についての条件が入力されていない場合は、第１のデータ抽出部１０は、再度ステップＳ１４を実行する。一方、ステップＳ１５の判定の結果、期間についての条件が入力されている場合は、第１のデータ抽出部１０は、入力された条件に基づいて、対象となる期間を設定をする（ステップＳ１６）。
【００７３】
ステップＳ１６又はＳ１７が実行されると、第１のデータ抽出部１０は、データベース１１０にアクセスし、そこから、入力された条件に合致するデータを、第１抽出データとして抽出する（ステップＳ１８）。その後、第２のデータ抽出部２０によって、ステップＳ２が実行される。
【００７４】
＜第２抽出データの抽出処理＞
次に、図１６を用いて、図１４に示した第２抽出データの抽出処理について説明する。図１６は、図１４に示した第２抽出データの抽出処理を更に具体的に示すフロー図である。
【００７５】
図１６に示すように、最初に、第２のデータ抽出部２０は、入力装置４００を介して、ユーザからの、作物の生育状態についての条件の入力を受け付ける（ステップＳ２１）。次に、第２のデータ抽出部２０は、ステップＳ２１において、作物の生育状態についての条件が入力されているかどうかを判定する（ステップＳ２２）。
【００７６】
ステップＳ２２の判定の結果、作物の生育状態についての条件が入力されていない場合は、第２のデータ抽出部２０は、再度ステップＳ２１を実行する。一方、ステップＳ２２の判定の結果、作物の生育状態についての条件が入力されている場合は、第２のデータ抽出部２０は、第１抽出データから、入力された条件に合致するデータを、第２抽出データとして抽出する（ステップＳ２３）。その後、第３のデータ抽出部３０によって、ステップＳ３〜Ｓ５が実行される。
【００７７】
具体的には、ステップＳ２１において、作物の生育状態についての条件として、ミカンの糖度及び酸度が入力されているとする。この場合、第２のデータ抽出部２０は、第１抽出データに含まれる生育状態データの中から、ミカンの糖度又は酸度が記録されたレコード（図４参照）を抽出する。更に、第２のデータ抽出部２０は、第１抽出データに含まれる気象条件データ及び管理作業データの中から、ミカンについてのレコード（図３及び図５参照）も抽出する。
【００７８】
＜管理作業影響データの抽出処理＞
次に、図１７を用いて、図１４に示した管理作業影響データの抽出処理について説明する。図１７は、図１４に示した管理作業影響データの抽出処理を更に具体的に示すフロー図である。
【００７９】
図１７に示すように、最初に、管理作業影響データ抽出部３１は、ユーザが入力装置４００から入力した起点日を読み込み（ステップＳ３１）、更に、ユーザが入力装置４００から入力した抽出間隔も読み込む（ステップＳ３２）。具体的には、ユーザが入力装置４００から入力した起点日及び抽出間隔は、入力後に、記憶装置３００（図２参照）に格納される。従って、管理作業影響データ抽出部３１は、記憶装置３００から、起点日及び抽出間隔を読み込んでいる。
【００８０】
次に、管理作業影響データ抽出部３１は、ステップＳ２３で抽出された第２抽出データから、ステップＳ３１及びＳ３２で読み込んだデータを用いて、管理作業影響データを抽出する（ステップＳ３３）。具体的には、管理作業影響データ抽出部３１は、ステップＳ２１（図１６参照）で指定された指標の値を、ステップＳ３１で読み込んだ起点日から、ステップＳ３２で読み込んだ抽出間隔で抽出する。また、管理作業影響データ抽出部３１は、ステップＳ３１で読み込んだ起点日以後に行われた管理作業データも抽出する。抽出されるデータの具体例は、図６に示した通りである。
【００８１】
次に、管理作業影響データ抽出部３１は、ステップＳ３３で抽出した指標を値が大きい順にソートし（ステップＳ３４）、上位からｎ個の値と、対応する管理作業データとを抽出する（ステップＳ３５）。ステップＳ３５で抽出されたデータは、上述のステップＳ７における生育モデルの生成に用いられる。
【００８２】
＜気象条件影響データの抽出処理＞
次に、図１８を用いて、図１４に示した気象条件影響データの抽出処理について説明する。図１８は、図１４に示した気象条件影響データの抽出処理を更に具体的に示すフロー図である。
【００８３】
図１８に示すように、最初に、気象条件影響データ抽出部３２は、予め設定された基準日及び抽出間隔を読み込む（ステップＳ４１）。具体的には、予め設定された基準日及び抽出間隔は、記憶装置３００（図２参照）に格納されている。従って、気象条件影響データ抽出部３２は、記憶装置３００から、予め設定された基準日及び抽出間隔を読み込む。
【００８４】
次に、気象条件影響データ抽出部３２は、ステップＳ２３で抽出された第２抽出データから、ステップＳ４１で読み込んだデータを用いて、気象条件影響データを抽出する（ステップＳ４２）。具体的には、気象条件影響データ抽出部３２は、ステップＳ１４（図１５参照）で指定された期間毎に、ステップＳ２１（図１６参照）で指定された指標の値を、ステップＳ４１で読み込んだ基準日から、同じく読み込んだ抽出間隔で抽出する。また、気象条件影響データ抽出部３２は、ステップＳ１４で指定された期間毎に、ステップＳ２１（図１６参照）で指定された作物の生育場所の気象条件データも抽出する。抽出されるデータの具体例は、図７に示した通りである。
【００８５】
次に、気象条件影響データ抽出部３２は、ステップＳ４２で抽出した指標を値が大きい順にソートし（ステップＳ４３）、上位からｎ個の値と、対応する気象条件データとを抽出する（ステップＳ４４）。ステップＳ４３で抽出されたデータは、上述のステップＳ７における生育モデルの生成に用いられる。
【００８６】
＜実績データの抽出処理＞
次に、図１９を用いて、図１４に示した実績データの抽出処理について説明する。図１９は、図１４に示した実績データの抽出処理を更に具体的に示すフロー図である。
【００８７】
図１９に示すように、最初に、実績データ抽出部３３は、第２抽出データから、実績データを抽出する（ステップＳ５１）。具体的には、実績データ抽出部３３は、ステップＳ２１（図１６参照）で指定された作物の収穫時におけるデータ、例えば、収穫時点における、作物のサイズ、糖度、酸度等を抽出する。
【００８８】
次に、実績データ抽出部３３は、ステップＳ５１で抽出されたデータを、値が優れている順にソートし（ステップＳ５２）、更に、このうち、上位からｎ個の値を抽出する（ステップＳ５３）。ステップＳ５３で抽出されたデータは、上述のステップＳ７における生育モデルの生成に用いられる。
【００８９】
［実施の形態における効果］
以上のように、本実施の形態によれば、ユーザは、過去の蓄積データから、管理作業影響データと、気象条件影響データと、実績データとを得ることができる。言い換えると、ユーザは、過去の蓄積されたデータから、作物の育成に必要なデータを確実に抽出することができる。そして、ユーザは、管理作業が作物に与える影響、気象条件が作物に与える影響、過去の実績を知ることができるので、作物の育成モデルの最適化を図ることもできる。
【００９０】
［変形例］
ここで、本実施の形態における変形例について、図２０を用いて説明する。図２０は、本発明の実施の形態におけるデータ抽出装置の他の例の構成を示すブロック図である。図２０の例においても、データ抽出装置１００は、図２に示した例と同様に、コンピュータ２００のＯＳ上にプログラムによって構築されている。但し、図２０の例では、図２の例と異なり、コンピュータ２００は、通信インターフェイス６００により、ネットワーク７１０を経由して、生産者であるユーザが利用する端末装置７００に接続されている。
【００９１】
このため、ユーザは、端末装置７００から、各種条件を入力することができる。また、データ抽出装置１００は、抽出したデータを、通信インターフェイス６００から、ネットワーク７１０を経由して、端末装置７００に送信することができる。ユーザは、端末装置７００の画面上で、抽出されたデータを確認することができる。
【００９２】
［プログラム］
また、本実施の形態におけるプログラムは、コンピュータ２００に、図４に示すステップＳ１〜Ｓ７を実行させるプログラムであれば良い。このプログラムをコンピュータ２００にインストールし、実行することによって、本実施の形態におけるデータ抽出装置１００とデータ抽出方法とを実現することができる。この場合、コンピュータのＣＰＵ（Central Processing Unit）は、第１のデータ抽出部１０、第２のデータ抽出部２０、第３のデータ抽出部３０、データ分類部４０、グラフ化処理部５０、及び生育モデル作成部６０として機能し、処理を行なう。
【００９３】
ここで、本実施の形態におけるプログラムを実行することによって、データ抽出装置１００を実現するコンピュータについて図２１を用いて説明する。図２１は、本発明の実施の形態におけるデータ抽出装置を実現するコンピュータの一例を示すブロック図である。
【００９４】
図２１に示すように、コンピュータ２００は、ＣＰＵ２０１と、メインメモリ２０２と、記憶装置２０３と、入力インターフェイス２０４と、表示コントローラ２０５と、データリーダ／ライタ２０６と、通信インターフェイス６００とを備える。これらの各部は、バス２０７を介して、互いにデータ通信可能に接続される。
【００９５】
ＣＰＵ２０１は、記憶装置２０３に格納された、本実施の形態におけるプログラム（コード）をメインメモリ２０２に展開し、これらを所定順序で実行することにより、各種の演算を実施する。メインメモリ２０２は、典型的には、ＤＲＡＭ（Dynamic Random Access Memory）等の揮発性の記憶装置である。また、メインメモリ２０２は、ＣＰＵ２０１の作業領域として用いられる。
【００９６】
また、記憶装置２０３の具体例としては、ハードディスクの他、フラッシュメモリ等の半導体記憶装置、ＤＶＤ−ＲＡＭ（Digital Versatile Disc Random-Access Memory）、ＤＶＤ−ＲＷ（Digital Versatile Disc ReWritable）等の光学式記憶装置が挙げられる。入力インターフェイス２０４は、ＣＰＵ２０１と、キーボード、マウス、タッチパネルといった入力機器２０８との間のデータ伝送を仲介する。表示コントローラ２０５は、液晶表示ディスプレイ、有機ＥＬディスプレイといった表示装置５００と接続され、表示装置５００での表示を制御する。
【００９７】
データリーダ／ライタ２０６は、ＣＰＵ２０１と記録媒体２０８との間のデータ伝送を仲介し、記録媒体２０８からのプログラムの読み出し、及びコンピュータ２００における処理結果の記録媒体２０８への書き込みを実行する。通信インターフェイス６００は、ＣＰＵ２０１と、他のコンピュータとの間のデータ伝送を仲介する。通信インターフェイス６００としては、シリアルインターフェイス、ＬＡＮ（Local Area Network）インターフェイスが挙げられる。
【００９８】
また、本実施の形態におけるプログラムは、コンピュータ読み取り可能な記録媒体２０８に格納された状態で提供される。記録媒体２０８の具体例としては、ＣＦ（Compact Flash（登録商標））及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【００９９】
また、図２１は、コンピュータ２００の構成の一例であり、コンピュータ２００は、図２１に示されたものに限定されない。例えば、コンピュータ２００は、スマートフォン、タブレット型のコンピュータであっても良い。
【０１００】
更に、データ抽出装置１００は、コンピュータのＯＳとアプリケーションプログラムとのそれぞれに分担されて実現されていても良いし、ＯＳとアプリケーションプログラムとが協働することによって実現されていても良い。このような場合は、アプリケーションプログラムの部分のみが、記録媒体２０８によって提供されることになる。
【０１０１】
また、本実施の形態におけるプログラムは、通信インターフェイス６００を介して接続されたインターネット上で流通するものであっても良い。つまり、本実施の形態におけるプログラムは、搬送波に重畳され、通信ネットワークを介して、コンピュータ２００に配信されてきても良い。例えば、ネットワーク上の掲示板（ＢＢＳ：Bulletin Board System）に、本実施の形態におけるプログラムが掲示されている場合は、当該プログラムはネットワークを介して配信されることになる。この場合、配信されてきたプログラムを起動し、ＯＳの制御下で、他のアプリケーションプログラムと同様に実行すれば、本実施の形態におけるデータ抽出装置１００が実現されることなる。
【０１０２】
上述した実施の形態の一部又は全部は、以下に記載する（付記１）〜（付記１８）によって表現することができるが、以下の記載に限定されるものではない。
【０１０３】
（付記１）
気象条件、作物の生育状態、及び作物の育成において行われた管理作業、それぞれの蓄積されたデータから、場所及び期間について指定された条件に基づいて、データを抽出する、第１のデータ抽出部と、
前記第１のデータ抽出部によって抽出されたデータから、前記作物の生育状態について指定された条件に基づいて、データを抽出する、第２のデータ抽出部と、
前記第２のデータ抽出部によって抽出されたデータから、前記管理作業が前記作物に与えた影響を表すデータと、前記気象条件が前記作物に与えた影響を表すデータとを少なくとも抽出する、第３のデータ抽出部と、
を備えていることを特徴とするデータ抽出装置。
【０１０４】
（付記２）
前記第３のデータ抽出部が、更に、前記作物の収穫時におけるデータを抽出する、付記１に記載のデータ抽出装置。
【０１０５】
（付記３）
前記第２のデータ抽出部が、前記特定の作物の生育状態について指定された条件として、前記作物の生育状態を表す指標を受け付け、受け付けた前記指標に基づいて、データを抽出し、
前記第３のデータ抽出部が、
前記管理作業が前記作物に与えた影響を表すデータとして、指定された起点日以後に行われた前記管理作業と、前記起点日からの前記指標の値の時系列変化のデータとを抽出し、
前記気象条件が前記作物に与えた影響を表すデータとして、指定された前記期間に含まれる年別に、前記作物の生育場所の前記気象条件のデータと、前記指標の値の時系列変化のデータとを抽出する、
付記１または２に記載のデータ抽出装置。
【０１０６】
（付記４）
前記第３のデータ抽出部によって抽出された前記データそれぞれを画面上で分類して表示させるための、画像データを生成する、データ分類部を更に備えている、
付記１〜３のいずれかに記載のデータ抽出装置。
【０１０７】
（付記５）
前記第２のデータ抽出部によって抽出されたデータ、及び前記第３のデータ抽出部によって抽出されたデータを、画面上でグラフ化して表示させるための、画像データを生成する、グラフ化処理部を更に備えている、付記１〜４のいずれかに記載のデータ抽出装置。
【０１０８】
（付記６）
前記第３のデータ抽出部によって抽出された前記データを用いて、前記作物の生育モデルを作成する、生育モデル作成部を更に備えている、付記１〜５のいずれかに記載のデータ抽出装置。
【０１０９】
（付記７）
（ａ）気象条件、作物の生育状態、及び作物の育成において行われた管理作業、それぞれの蓄積されたデータから、場所及び期間について指定された条件に基づいて、データを抽出する、ステップと、
（ｂ）前記（ａ）のステップによって抽出されたデータから、前記作物の生育状態について指定された条件に基づいて、データを抽出する、ステップと、
（ｃ）前記（ｂ）のステップによって抽出されたデータから、前記管理作業が前記作物に与えた影響を表すデータと、前記気象条件が前記作物に与えた影響を表すデータとを少なくとも抽出する、ステップと、
を有することを特徴とするデータ抽出方法。
【０１１０】
（付記８）
前記（ｃ）のステップにおいて、更に、前記作物の収穫時におけるデータを抽出する、付記７に記載のデータ抽出方法。
【０１１１】
（付記９）
前記（ｂ）のステップにおいて、前記特定の作物の生育状態について指定された条件として、前記作物の生育状態を表す指標を受け付け、受け付けた前記指標に基づいて、データを抽出し、
前記（ｃ）のステップにおいて、
前記管理作業が前記作物に与えた影響を表すデータとして、指定された起点日以後に行われた前記管理作業と、前記起点日からの前記指標の値の時系列変化のデータとを抽出し、
前記気象条件が前記作物に与えた影響を表すデータとして、指定された前記期間に含まれる年別に、前記作物の生育場所の前記気象条件のデータと、前記指標の値の時系列変化のデータとを抽出する、
付記７または８に記載のデータ抽出方法。
【０１１２】
（付記１０）
（ｄ）前記（ｃ）のステップによって抽出された前記データそれぞれを画面上で分類して表示させるための、画像データを生成する、ステップを更に有している、
付記７〜９のいずれかに記載のデータ抽出方法。
【０１１３】
（付記１１）
（ｅ）前記（ｂ）のステップによって抽出されたデータ、及び前記（ｃ）のステップによって抽出されたデータを、画面上でグラフ化して表示させるための、画像データを生成する、ステップを更に有する、付記７〜１０のいずれかに記載のデータ抽出方法。
【０１１４】
（付記１２）
（ｆ）前記（ｂ）のステップによって抽出された前記データを用いて、前記作物の生育モデルを作成する、ステップを更に有する、付記７〜１１のいずれかに記載のデータ抽出方法。
【０１１５】
（付記１３）
コンピュータに、
（ａ）気象条件、作物の生育状態、及び作物の育成において行われた管理作業、それぞれの蓄積されたデータから、場所及び期間について指定された条件に基づいて、データを抽出する、ステップと、
（ｂ）前記（ａ）のステップによって抽出されたデータから、前記作物の生育状態について指定された条件に基づいて、データを抽出する、ステップと、
（ｃ）前記（ｂ）のステップによって抽出されたデータから、前記管理作業が前記作物に与えた影響を表すデータと、前記気象条件が前記作物に与えた影響を表すデータとを少なくとも抽出する、ステップと、
を実行させるプログラム。
【０１１６】
（付記１４）
前記（ｃ）のステップにおいて、更に、前記作物の収穫時におけるデータを抽出する、付記１３に記載のプログラム。
【０１１７】
（付記１５）
前記（ｂ）のステップにおいて、前記特定の作物の生育状態について指定された条件として、前記作物の生育状態を表す指標を受け付け、受け付けた前記指標に基づいて、データを抽出し、
前記（ｃ）のステップにおいて、
前記管理作業が前記作物に与えた影響を表すデータとして、指定された起点日以後に行われた前記管理作業と、前記起点日からの前記指標の値の時系列変化のデータとを抽出し、
前記気象条件が前記作物に与えた影響を表すデータとして、指定された前記期間に含まれる年別に、前記作物の生育場所の前記気象条件のデータと、前記指標の値の時系列変化のデータとを抽出する、
付記１３または１４に記載のプログラム。
【０１１８】
（付記１６）
（ｄ）前記（ｃ）のステップによって抽出された前記データそれぞれを画面上で分類して表示させるための、画像データを生成する、ステップを更に前記コンピュータに実行させる、
付記１３〜１５のいずれかに記載のプログラム。
【０１１９】
（付記１７）
（ｅ）前記（ｂ）のステップによって抽出されたデータ、及び前記（ｃ）のステップによって抽出されたデータを、画面上でグラフ化して表示させるための、画像データを生成する、ステップを更に前記コンピュータに実行させる、付記１３〜１６のいずれかに記載のプログラム。
【０１２０】
（付記１８）
（ｆ）前記（ｂ）のステップによって抽出された前記データを用いて、前記作物の生育モデルを作成する、ステップを更に前記コンピュータに実行させる、付記１３〜１７のいずれかに記載のプログラム。
【産業上の利用可能性】
【０１２１】
以上のように本発明によれば、過去の蓄積されたデータから、作物の育成に必要なデータを確実に抽出することができる。本発明は、農業分野において、地域毎、圃場毎に、生育モデルを作成する場合に有用である。
【符号の説明】
【０１２２】
１０  第１のデータ抽出部
２０  第２のデータ抽出部
３０  第３のデータ抽出部
３１  管理作業影響データ抽出部
３２  気象条件影響データ抽出部
３３  実績データ抽出部
４０  データ分類部
５０  グラフ化処理部
６０  生育モデル作成部
１００  データ抽出装置
１１０  データベース
２００  コンピュータ
２０１  ＣＰＵ
２０２  メインメモリ
２０３  記憶装置
２０４  入力インターフェイス
２０５  表示コントローラ
２０６  データリーダ／ライタ
２０７  バス
２０８  記録媒体
３００  記憶装置
４００  入力装置
５００  表示装置
６００  通信インターフェイス
７００  端末装置
【図１】
2015000040.tif 000003
【図２】
2015000040.tif 000004
【図３】
2015000040.tif 000005
【図４】
2015000040.tif 000006
【図５】
2015000040.tif 000007
【図６】
2015000040.tif 000008
【図７】
2015000040.tif 000009
【図８】
2015000040.tif 000010
【図９】
2015000040.tif 000011
【図１０】
2015000040.tif 000012
【図１１】
2015000040.tif 000013
【図１２】
2015000040.tif 000014
【図１３】
2015000040.tif 000015
【図１４】
2015000040.tif 000016
【図１５】
2015000040.tif 000017
【図１６】
2015000040.tif 000018
【図１７】
2015000040.tif 000019
【図１８】
2015000040.tif 000020
【図１９】
2015000040.tif 000021
【図２０】
2015000040.tif 000022
【図２１】
2015000040.tif 000023